(57)【要約】【課題】  画像データを送信しようとする操作者に対し、指定された宛先情報の確認の必要性を的確に判断させることができる通信装置及び通信プログラムを提供する。【解決手段】  データ送信処理を開始させる主処理手段１０は、送信先情報が指定された際、データ送信処理を開始させる第１処理（Ｓ１０５）と、送信先情報が指定された際、送信先情報の確認を促す確認画面を表示し、該確認画面に対する操作に応答して、データ送信処理を開始させる第２処理（Ｓ１０３、Ｓ１０５）と、第１処理又は前記第２処理のいずれの処理を行うかを、送信処理履歴に基づき選択する選択処理（Ｓ１０２）とを有する。【選択図】  図５
2013225790.tif 000002
【特許請求の範囲】
【請求項１】
通信網を介して外部装置へデータ送信処理を行う送信手段と、
前記データ送信処理を行った際、送信先情報と対応付けて送信処理履歴を記憶する記憶処理手段と、
前記データ送信処理を開始させる主処理手段とを備える通信装置であって、
前記主処理手段は、
前記送信先情報が指定された際、前記データ送信処理を開始させる第１処理と、
前記送信先情報が指定された際、前記送信先情報の確認を促す確認画面を表示し、該確認画面に対する操作に応答して、前記データ送信処理を開始させる第２処理と、
前記第１処理又は前記第２処理のいずれの処理を行うかを、前記送信処理履歴に基づき選択する選択処理とを有することを特徴とする通信装置。
【請求項２】
前記外部装置を特定する複数の送信先情報の中から１つの前記送信先情報を指定する指定手段を備えることを特徴とする請求項１に記載の通信装置。
【請求項３】
前記記憶処理手段は、
前記データ送信処理が通信エラーによって中断された際、前記送信処理履歴をエラー状態に設定し、前記データ送信処理が正常に終了した際、前記送信処理履歴のエラー状態を解除し、
前記選択処理は、
前記送信処理履歴がエラー状態に設定されている際、前記第２処理を選択することを特徴とする請求項１または２に記載の通信装置。
【請求項４】
通信網を介して外部装置へデータ送信処理を行う送信手段と記憶手段を有する通信装置で実行される通信プログラムであって、
前記データ送信処理を行った際、前記送信先情報と対応付けて送信処理履歴を前記記憶手段に記憶する記憶処理ステップと、
前記データ送信処理を開始させる主処理ステップとを有し、
前記主処理ステップは、
前記送信先情報が指定された際、前記データ送信処理を開始させる第１処理と、
前記送信先情報が指定された際、前記送信先情報の確認を促す確認画面を表示し、該確認画面に対する操作に応答して、前記データ送信処理を開始させる第２処理と、
前記第１処理又は前記第２処理のいずれの処理を行うかを、前記送信処理履歴に基づき選択する選択処理とを有することを特徴とする通信プログラム。
【発明の詳細な説明】
【技術分野】
【０００１】
本発明は、データ送信を行う通信装置に関し、特にファクシミリ又はファクシミリの機能を備えた複合機等の通信装置に関する。
【背景技術】
【０００２】
従来のデータ送信を行う通信装置、例えばファクシミリ又はファクシミリの機能を備えた複合機等の通信装置において、画像データを送信するための宛先情報として、電話番号又はメールアドレス等を記憶していることは知られている。該通信装置では、記憶されている複数の宛先情報の中から一の宛先を指定する操作によって、指定された宛先に画像データを送信することが可能になっている。そして、画像データの送信動作の成功又は失敗に係る情報を、指定された宛先に対する通信履歴として記憶している。
【０００３】
記憶している通信履歴の表示処理に係り、特許文献１には、図１４に示す表示処理を行うデータ通信装置が記載されている。ここで、該データ通信装置は、ファクシミリ機能等の各種機能に関する操作を行うために使用される操作パネルと、データ通信宛先毎に該宛先に係る通信履歴を関連付けて記憶する通信履歴記憶部を有している。
【０００４】
図１４に示されるように、該データ通信装置では、操作パネルを介してデータ通信に係る宛先が設定されたとき（Ｓ１）、通信履歴記憶部から該宛先に係る通信履歴を取得し（Ｓ２）、取得された通信履歴に基づいて、該宛先に係るエラー発生頻度を判定し（Ｓ３〜Ｓ５）、該エラー発生頻度の判定結果を表示する（Ｓ４〜Ｓ６）。
【先行技術文献】
【特許文献】
【０００５】
【特許文献１】特開２００９−１０４４６号公報
【発明の概要】
【発明が解決しようとする課題】
【０００６】
しかしながら、例えば、宛先側が新たな通信キャリアと契約し、今までの宛先情報が無効になる場合がある。この場合、特許文献１に記載されたデータ通信装置によれば、記憶されている宛先情報を更新しないと、過去のエラー発生頻度の高低に関係なく送信動作は失敗することになる。
【０００７】
具体的には、特許文献１のデータ通信装置において、指定された宛先のエラー発生頻度が低いと判定されると、「この宛先はエラー頻度が低いのでご安心下さい」等と表示され、無駄な送信動作を行ってしまう。そしてこの無駄な送信動作は、エラー頻度が高いと表示されるまで継続される可能性があった。さらに操作者にとっても、エラー頻度の高低が表示されるだけでは、宛先情報の確認の必要性を的確に判断できないものであった。
【０００８】
本発明は、このような課題に鑑みてなされたものであり、その目的は、指定された宛先情報の確認の必要性を、操作者に対し的確に判断させることができる通信装置及び通信プログラムを提供することにある。
【課題を解決するための手段】
【０００９】
本発明の通信装置は、通信網を介して外部装置へデータ送信処理を行う送信手段と、データ送信処理を行った際、送信先情報と対応付けて送信処理履歴を記憶する記憶処理手段と、データ送信処理を開始させる主処理手段とを備える通信装置であって、主処理手段は、送信先情報が指定された際、データ送信処理を開始させる第１処理と、送信先情報が指定された際、送信先情報の確認を促す確認画面を表示し、該確認画面に対する操作に応答して、データ送信処理を開始させる第２処理と、第１処理又は第２処理のいずれの処理を行うかを、送信処理履歴に基づき選択する選択処理とを有することを特徴とする。
【００１０】
好ましくは、本発明の通信装置は、外部装置を特定する複数の送信先情報の中から１つの送信先情報を指定する指定手段を備えることを特徴とする。
【００１１】
また、好ましくは、記憶処理手段は、データ送信処理が通信エラーによって中断された際、送信処理履歴をエラー状態に設定し、データ送信処理が正常に終了した際、送信処理履歴のエラー状態を解除し、選択処理は、送信処理履歴がエラー状態に設定されている際、第２処理を選択することを特徴とする。
【００１２】
さらに、本発明の通信プログラムは、通信網を介して外部装置へデータ送信処理を行う送信手段と記憶手段を有する通信装置で実行される通信プログラムであって、
データ送信処理を行った際、送信先情報と対応付けて送信処理履歴を記憶手段に記憶する記憶処理ステップと、データ送信処理を開始させる主処理ステップとを有し、主処理ステップは、送信先情報が指定された際、データ送信処理を開始させる第１処理と、送信先情報が指定された際、送信先情報の確認を促す確認画面を表示し、該確認画面に対する操作に応答して、データ送信処理を開始させる第２処理と、第１処理又は第２処理のいずれの処理を行うかを、送信処理履歴に基づき選択する選択処理とを有することを特徴とする。
【発明の効果】
【００１３】
本発明の通信装置及び通信プログラムによれば、画像データを送信しようとする操作者に対し、指定された宛先情報の確認の必要性を的確に判断させることができる。
【図面の簡単な説明】
【００１４】
【図１】本発明の一実施形態である通信装置１のブロック図である。
【図２】宛先情報記憶部２２に記憶される宛先情報のデータ内容を例示する図である。
【図３】宛先情報の確認を促すために表示する確認画面の一例を示す図である。
【図４】通信エラーが発生した際に表示するエラー画面の一例を示す図である。
【図５】主処理部１１の処理手順を示すフローチャートである。
【図６】操作検出部１２の処理手順を示すフローチャートである。
【図７】送信先指定部１４の処理手順を示すフローチャートである。
【図８】更新登録部１５２の処理手順を示すフローチャートである。
【図９】画像送信部１６の処理手順を示すフローチャートである。
【図１０】宛先情報確認部１７１の処理手順を示すフローチャートである。
【図１１】エラー確認部１７２の処理手順を示すフローチャートである。
【図１２】履歴記憶処理部１８の処理手順を示すフローチャートである。
【図１３】通信処理部１９の処理手順を示すフローチャートである。
【図１４】従来のデータ通信装置における表示処理に係るフローチャートである。
【発明を実施するための形態】
【００１５】
以下、図面を参照しつつ、本発明の実施の形態について説明する。なお、処理内容の説明においては、「ステップ」を「Ｓ」で表し、各々の処理を数字で区別している。
【００１６】
図１は、本発明の一実施形態である通信装置１のブロック図を示している。該通信装置１は、表示画面に応じる操作を受け付けるための入力手段３０、エラー情報等の各種情報を表示するための表示手段３１、日時を計時するための計時手段３２、原稿紙の画像を読み取るための画像読取手段４０及び通信網８０を介して外部装置９０と通信を行うための通信手段５０を有している。さらに、通信装置１は、上述した各手段に対する処理を行うための処理手段１０、該処理手段１０における処理を実行するための情報が記憶されている記憶手段２０を有している。
【００１７】
ここで、入力手段３０としては、通信装置１の機能を実行させるための操作ボタン等の物理ボタン又はタッチ操作によって表示画面の任意の位置を指定できるタッチパネルが用いられる。また、表示手段３１には、例えば小型の液晶ディスプレイが用いられる。
【００１８】
通信手段５０の具体的な構成は、外部装置９０と通信接続するために介在する通信網８０の種類又は通信システム等によって異なり、例えば電話回線を介在して画像情報を送受信する場合には、ＮＣＵ（Ｎｅｔｗｏｒｋ  Ｃｏｎｔｒｏｌ  Ｕｎｉｔ）等によって構成されている。
【００１９】
記憶手段２０は、宛先情報記憶部２２、画面情報記憶部２３及び各種変数の値を記憶する変数情報記憶部２４を有している。
【００２０】
ここで、宛先情報記憶部２２には、通信網８０における外部装置９０を特定するための識別情報を含む宛先情報が記憶されている。なお、識別情報の形態は、通信網８０の種類又は通信システム等によって異なり、例えば電話番号、メールアドレス等の形態となる。さらに、画面情報記憶部２３には、通信エラーが発生した際に表示するエラー画面等が記憶されている。
【００２１】
処理手段１０は、上述した各手段に対する処理を行うためのプログラムを読み出し実行するためのＣＰＵ（Ｃｅｎｔｒａｌ  Ｐｒｏｃｅｓｓｉｎｇ  Ｕｎｉｔ）で、主処理部１１、操作検出部１２、送信先指定部１４、更新登録部１５２を有する宛先情報記憶処理部１５、画像送信部１６、宛先情報確認部１７１及びエラー確認部１７２からなる確認画面表示処理部１７、履歴記憶処理部１８並びに通信処理部１９のソフトウェア各部のプログラムを読み出し実行する。つまり、これらのソフトウェア各部は、処理手段１０の一部の手段として機能する。
【００２２】
ここで、主処理部１１は、通信装置１の電源投入がなされた際に実行が開始され、ソフトウェア各部を実行処理することによって、画像読取手段４０で読み取られた画像を、操作者が指定した送信先に送信する処理を行う処理部である。
【００２３】
操作検出部１２は、表示手段３１に表示している画面に対する操作者の入力手段３０の操作を検出する処理を行う処理部である。
【００２４】
送信先指定部１４は、画像を送信する送信先を操作者によって指定させるための処理を行う処理部である。
【００２５】
宛先情報記憶処理部１５は、操作者が入力した宛先情報を宛先情報記憶部２２に記憶する処理を行う処理部で、宛先情報記憶部２２に記憶されている宛先情報を変更するための更新登録部１５２を有している。
【００２６】
画像送信部１６は、画像読取手段４０によって原稿紙の画像を読み取り、操作者によって指定された送信先に送信する等の一連の画像送信処理を行う処理部である。
【００２７】
確認画面表示処理部１７は、操作者によって指定された送信先の宛先情報の確認を促す確認画面を表示する処理を行う処理部であり、画像送信を行う前に確認画面を表示して宛先情報の確認を促す宛先情報確認部１７１と、画像送信処理で通信エラーを検出した際にエラー画面を表示して宛先情報の確認を促すエラー確認部１７２から構成されている。
【００２８】
履歴記憶処理部１８は、操作者によって指定された送信先の宛先情報に対応付けて、画像送信が通信エラーによって中断されたか否かの通信履歴を記憶する処理を行う処理部である。
【００２９】
通信処理部１９は、通信網を介して操作者によって指定された送信先の外部装置との間で、通信接続を行う等の一連の通信処理を行う処理を行う処理部である。
【００３０】
図２は、宛先情報記憶部２２に記憶される宛先情報のデータ内容を例示し、該宛先情報記憶部２２は、ｎ人分（ｎは自然数）の宛先情報を記憶する記憶域Ｍ１〜Ｍｎを有している。そして、各々の記憶域Ｍ１〜Ｍｎには、ＦＡＸ番号Ｄ１、名称Ｄ２、処理日時Ｄ３及び履歴Ｄ４の情報が記憶されている。
【００３１】
ＦＡＸ番号Ｄ１は、通信網８０における外部装置９０を特定するための識別情報で、画像情報を送信する際に用いられる。
【００３２】
名称Ｄ２は、ＦＡＸ番号Ｄ１の相手を判別するために用いられる情報で、宛先情報記憶部２２に記憶されている宛先情報の一覧を表示する際に用いられる。
【００３３】
処理日時Ｄ３は、ＦＡＸ番号Ｄ１で特定される外部装置９０に画像送信処理を行った日時情報である。ここで、該処理日時Ｄ３は、既に記憶されている宛先情報に対してＦＡＸ番号Ｄ１の変更がなされた場合、該変更が行われた日時に更新する初期化がなされる。
【００３４】
履歴Ｄ４は、該画像送信を行ったＦＡＸ番号Ｄ１で特定される外部装置９０に、画像送信を行った際の通信履歴である。つまり、画像送信が成功した旨を示す「成功」又は画像送信が通信エラーによって中断された旨を示す「失敗」のいずれかの情報が設定される。ここで、該履歴Ｄ４は、既に記憶されている宛先情報に対してＦＡＸ番号Ｄ１の変更がなされた場合、画像送信が成功した旨を示す「成功」の情報に更新する初期化がなされる。
【００３５】
図３は、宛先情報の確認を促すために表示する確認画面の一例を示している。図３に示すように、確認画面ＷＳは、画像送信しようとした送信先の宛先を表示する表示域ＷＳ１、画像送信しようとした送信先の宛先情報の変更を指示させるための情報を表示する表示域ＷＳ２、画像送信を指示させるための情報を表示する表示域ＷＳ３及び画像送信の中止を指示させるための情報を表示する表示域ＷＳ４を有している。
【００３６】
つまり、指定している送信先の宛先情報を変更する変更操作、画像送信操作及び画像送信の中止操作が操作検出部１２により検出できるように、確認画面ＷＳは構成されている。
【００３７】
このように、本発明の通信装置１では、操作者によって指定された送信先の宛先情報の確認を促す確認画面を表示する処理を行う処理部を有している。このことから、例えば、指定された送信先に対する前回の画像送信で、通信エラーが発生したまま放置されている場合、指定された送信先の宛先情報の確認を操作者に促すことができる。
【００３８】
図４は、通信エラーが発生した際に表示するエラー画面の一例を示している。図４に示すように、エラー画面ＥＳは、画像送信しようとした送信先の宛先を表示する表示域ＥＳ１、画像送信しようとした送信先の宛先情報の変更を指示させるための情報を表示する表示域ＥＳ２、画像送信の再送信を指示させるための情報を表示する表示域ＥＳ３及び画像送信の中止を指示させるための情報を表示する表示域ＥＳ４を有している。
【００３９】
つまり、指定している送信先の宛先情報を変更する変更操作、画像送信の再送信操作及び画像送信の中止操作が操作検出部１２により検出できるように、エラー画面ＥＳは構成されている。
【００４０】
図５は、処理手段１０に読み出し実行される主処理部１１の処理内容を示し、以下に説明する。
【００４１】
先ず、送信先指定部１４を実行し、画像を送信する送信先を操作者に指定させ、指定された送信先の宛先情報を変数ＳＡに設定する（Ｓ１０１）。
【００４２】
Ｓ１０１の処理に続いて、変数ＳＡの履歴Ｄ４が「失敗」に設定されているか否かを判定する（Ｓ１０２）。つまり、操作者によって指定された送信先の通信履歴がエラー状態のまま放置されているか否かを変数ＳＡの履歴Ｄ４に設定されている内容によって判定する。
【００４３】
Ｓ１０２の判定で、履歴Ｄ４が「失敗」に設定されていると判定した場合には、宛先情報確認部１７１を実行し、指定された送信先の宛先情報を操作者に確認させるための処理を行う（Ｓ１０３）。
【００４４】
Ｓ１０３の処理に続いて、履歴Ｄ４が「失敗」に設定されていることに対する操作者の応答が中止操作か否かを判定し（Ｓ１０４）、中止操作であると判定した場合には、画像を送信する送信先を再指定させるために、上述したＳ１０１に移行する。
【００４５】
Ｓ１０２の判定で履歴Ｄ４が「失敗」に設定されていないと判定した場合及びＳ１０４の判定で中止操作でないと判定した場合には、画像送信処理を行うために画像送信部１６を実行し（Ｓ１０５）、画像を送信する送信先を再指定させるために、上述したＳ１０１に移行する。
【００４６】
このように、本発明の通信装置１では、エラー状態のまま放置されていると判定した場合には、指定された送信先の宛先情報を操作者に確認させるための確認画面を表示し、該確認画面に対する操作に応答して、画像送信処理を行うために画像送信部１６を実行している。一方、エラー状態のまま放置されていないと判定した場合には、確認画面を表示することなく、画像送信処理を行うために画像送信部１６を実行している。
【００４７】
このことから、画像データを送信しようとする操作者に対し、指定された宛先情報の確認の必要性を的確に判断させることができる。
【００４８】
図６は、処理手段１０に読み出し実行される操作検出部１２の処理内容を示し、以下に説明する。
【００４９】
先ず、計時手段３２による計時を開始させる（Ｓ２０１）。
【００５０】
Ｓ２０１の処理に続いて、入力手段３０に対する操作者の操作が検出されたか否かを判定する（Ｓ２０２）。該判定において、操作者の操作が検出されなかった場合は、Ｓ２０１の計時の開始から一定時間経過したか否かを判定し（Ｓ２０４）、該判定において、一定時間経過している場合には、中止操作が行われた場合と同じ操作コードを出力して（Ｓ２０５）、処理を終了する。このように、本発明の通信装置１では、操作者の操作が一定時間検出されなかった場合に、中止操作が行なわれた場合と同じ操作コードを出力する処理を行っている。該処理は、エラー画面等が表示された状態を操作者が解除せず放置した場合でも、他の利用者が通信装置１を利用することができるようにするための処理である。
【００５１】
また、Ｓ２０４の判定において、一定時間経過していないと判定した場合には、上述したＳ２０２の処理に移行する。
【００５２】
一方、Ｓ２０２の判定において、操作者の操作が検出された場合には、表示画面に対する操作位置に応じた操作コードを出力して（Ｓ２０３）、処理を終了する。
【００５３】
図７は、処理手段１０に読み出し実行される送信先指定部１４の処理内容を示し、以下に説明する。
【００５４】
先ず、宛先情報記憶部２２に記憶されている宛先情報の一覧を表示する（Ｓ４０１）。
【００５５】
Ｓ４０１の処理に続いて、Ｓ４０１で一覧表示された宛先情報の中から、画像を送信する送信先を利用者に選択させる（Ｓ４０２）。
【００５６】
Ｓ４０２の処理に続いて、Ｓ４０２で選択された送信先の宛先情報を変数ＳＡ設定し（Ｓ４０３）、処理を終了する。
【００５７】
図８は、処理手段１０に読み出し実行される更新登録部１５２の処理内容を示し、以下に説明する。
【００５８】
先ず、宛先情報記憶部２２に記憶されている宛先情報を記憶する記憶域Ｍ１〜Ｍｎの中から、変数ＳＡに設定されている送信先の宛先情報が記憶されているメモリＭを検索する（Ｓ５５１）。
【００５９】
Ｓ５５１の処理に続いて、操作者によって、更新登録する宛先情報のＦＡＸ番号を入力させ（Ｓ５５２）、入力されたＦＡＸ番号をメモリＭのＦＡＸ番号Ｄ１に設定する（Ｓ５５３）。
【００６０】
Ｓ５５３の処理に続いて、計時手段３２によって現在日時ＤＴを取得して（Ｓ５５４）、取得した現在日時ＤＴをメモリＭの処理日時Ｄ３に設定し（Ｓ５５５）、メモリＭの履歴Ｄ４を、画像送信が成功した旨を示す「成功」に設定する（Ｓ５５６）。つまり、処理日時Ｄ３及び履歴Ｄ４の情報を初期化するための処理を行う。
【００６１】
Ｓ５５６の処理に続いて、メモリＭに設定した宛先情報を、変数ＳＡに設定し（Ｓ５５７）、処理を終了する。
【００６２】
図９は、処理手段１０に読み出し実行される画像送信部１６の処理内容を示し、以下に説明する。
【００６３】
先ず、画像読取手段４０によって原稿紙の画像を読み取り（Ｓ６０１）、読み取られた画像を変数ＳＢＵＦに格納する（Ｓ６０２）。
【００６４】
Ｓ６０２の処理に続いて、通信処理部１９を実行し、変数ＳＡに設定されている送信先に、変数ＳＢＵＦに格納されている画像の送信を行う（Ｓ６０３）。
【００６５】
Ｓ６０３の処理に続いて、通信処理部１９の実行で通信エラーによって画像送信処理を中断したか否かを判定する（Ｓ６０４）。
【００６６】
Ｓ６０４の判定で、通信エラーが発生している場合には、エラー確認部１７２を実行し、操作者に該通信エラーが発生した旨を通知するとともに、画像送信の中止を行うか等の該通信エラーに対する応答を操作者に選択させる（Ｓ６０５）。
【００６７】
Ｓ６０５の処理に続いて、通信エラーに対する操作者の応答が中止操作か否かを判定し（Ｓ６０６）、中止操作でないと判定した場合には、変数ＳＡに設定されている送信先に、変数ＳＢＵＦに格納されている画像の再送信を行うために、上述したＳ６０３に移行する。
【００６８】
Ｓ６０４の判定で通信エラーが発生していない場合及びＳ６０６の判定で中止操作であると判定した場合には、履歴記憶処理部１８を実行し（Ｓ６０７）、処理を終了する。
【００６９】
図１０は、処理手段１０に読み出し実行される宛先情報確認部１７１の処理内容を示し、以下に説明する。
【００７０】
先ず、図３によって上述した確認画面を表示する（Ｓ７０１）。ここで、該処理は、変数ＳＡに設定されているＦＡＸ番号Ｄ１、名称Ｄ２の送信先の宛先情報を、図３で示される表示域ＷＳ１に表示する処理を含んでいる。
【００７１】
Ｓ７０１の処理に続いて、操作検出部１２を実行し、Ｓ７０１で表示した確認画面に対する操作者応答の操作コードを取得する（Ｓ７０２）。
【００７２】
Ｓ７０２の処理に続いて、取得された操作コードが中止操作を示す操作コードか否かを判定し（Ｓ７０３）、中止操作を示す操作コードであった場合には、処理を終了する。
【００７３】
Ｓ７０３の判定で、中止操作を示す操作コードでなかった場合には、送信操作を示す操作コードか否かを判定し（Ｓ７０４）、送信操作を示す操作コードであった場合には、処理を終了する。
【００７４】
Ｓ７０４の判定で、送信操作を示す操作コードでなかった場合には、変数ＳＡに設定されている送信先の宛先情報を変更するために更新登録部１５２を実行し（Ｓ７０５）、処理を終了する。
【００７５】
図１１は、処理手段１０に読み出し実行されるエラー確認部１７２の処理内容を示し、以下に説明する。
【００７６】
先ず、図４によって上述したエラー画面を表示する（Ｓ７５１）。ここで、該処理は、変数ＳＡに設定されているＦＡＸ番号Ｄ１、名称Ｄ２の送信先の宛先情報を、図４で示される表示域ＥＳ１に表示する処理を含んでいる。
【００７７】
Ｓ７５１の処理に続いて、操作検出部１２を実行し、Ｓ７５１で表示したエラー画面に対する操作者応答の操作コードを取得する（Ｓ７５２）。
【００７８】
Ｓ７５２の処理に続いて、取得された操作コードが中止操作を示す操作コードか否かを判定し（Ｓ７５３）、中止操作を示す操作コードであった場合には、処理を終了する。
【００７９】
Ｓ７５３の判定で、中止操作を示す操作コードでなかった場合には、画像送信の再送信操作を示す操作コードか否かを判定し（Ｓ７５４）、再送信操作を示す操作コードであった場合には、処理を終了する。
【００８０】
Ｓ７５４の判定で、再送信操作を示す操作コードでなかった場合には、変数ＳＡに設定されている送信先の宛先情報を変更するために更新登録部１５２を実行し（Ｓ７５５）、処理を終了する。
【００８１】
図１２は、処理手段１０に読み出し実行される履歴記憶処理部１８の処理内容を示し、以下に説明する。
【００８２】
先ず、宛先情報記憶部２２に記憶されている宛先情報を記憶する記憶域Ｍ１〜Ｍｎの中から、変数ＳＡに設定されている送信先の宛先情報が記憶されているメモリＭを検索する（Ｓ８０１）。
【００８３】
Ｓ８０１の処理に続いて、計時手段３２によって現在日時ＤＴを取得して（Ｓ８０２）、取得した現在日時ＤＴをメモリＭの処理日時Ｄ３に設定する（Ｓ８０３）。つまり、通信エラーによって画像送信処理が中止されたか否かに係らず、画像送信処理を行った送信処理日時をメモリＭの処理日時Ｄ３に設定するための処理を行う。
【００８４】
Ｓ８０３の処理に続いて、通信エラーによって画像送信処理が中止されたか否かを判定し（Ｓ８０４）、画像送信処理が中止されたと判定した場合には、メモリＭの履歴Ｄ４を「失敗」に設定し（Ｓ８０５）、処理を終了する。
【００８５】
一方、Ｓ８０４の判定で、画像送信処理が通信エラーなく行われたと判定した場合には、メモリＭの履歴Ｄ４を「成功」に設定し（Ｓ８０６）、処理を終了する。
【００８６】
図１３は、処理手段１０に読み出し実行される通信処理部１９の処理内容を示し、以下に説明する。
【００８７】
先ず、変数ＳＡのＦＡＸ番号Ｄ１の外部装置９０に発呼し、該外部装置９０と通信接続するための要求信号を、通信手段５０に対して出力する（Ｓ９０１）。
【００８８】
Ｓ９０１の処理に続いて、発呼処理を行った外部装置９０の回線が使用中である旨の信号が通信手段５０から出力されたか否かを判定し（Ｓ９０２）、該信号が出力されていると判定した場合には、一定時間待機した後（Ｓ９０３）、上述したＳ９０１に移行する。
【００８９】
Ｓ９０２の判定が、回線が使用中である旨の信号が出力されていないと判定した場合には、変数ＳＡのＦＡＸ番号Ｄ１が存在しない回線である旨の信号が通信手段５０から出力されたか否かを判定し（Ｓ９０４）、該信号が出力されていると判定した場合には、通信エラーが発生したものとして処理を終了する。
【００９０】
Ｓ９０４の判定が、存在しない回線である旨の信号が出力されていないと判定した場合には、通信接続している外部装置９０に画像送信の開始を示す信号を送信するための要求信号を、通信手段５０に対して出力する（Ｓ９０５）。
【００９１】
Ｓ９０５の処理に続いて、外部装置９０と通信接続が強制的に切断された旨の信号が通信手段５０から出力されたか否かを判定し（Ｓ９０６）、該信号が出力されたと判定した場合には、通信エラーが発生したものとして処理を終了する。
【００９２】
Ｓ９０６の判定が、通信接続が強制的に切断された旨の信号が出力されていないと判定した場合には、上述したＳ９０５に応答する応答信号が通信手段５０から出力されたか否かを判定し（Ｓ９０７）、該信号が出力されていないと判定した場合には、通信エラーが発生したものとして処理を終了する。
【００９３】
Ｓ９０７の判定が、応答信号が通信手段５０から出力されたと判定した場合には、通信接続している外部装置９０に、変数ＳＢＵＦに格納されている画像情報を送信するための要求信号を、通信手段５０に対して出力する（Ｓ９０８）。
【００９４】
Ｓ９０８の処理に続いて、通信接続している外部装置９０との通信接続を切断するための要求信号を、通信手段５０に対して出力して（Ｓ９０９）、処理を終了する。
【００９５】
このように、本発明に係る通信装置１では、エラー状態のまま放置されていると判定した場合には、指定された送信先の宛先情報を操作者に確認させるための確認画面を表示し、該確認画面に対する操作に応答して、画像送信処理を行うために画像送信部１６を実行している。一方、エラー状態のまま放置されていないと判定した場合には、確認画面を表示することなく、画像送信処理を行うために画像送信部１６を実行している。
【００９６】
このことから、画像データを送信しようとする操作者に対し、指定された宛先情報の確認の必要性を的確に判断させることができる。
【００９７】
ここで、本実施の形態に係る通信装置は、上述した図５から図１３に従う処理手順を制御プログラムとしてメモリから読み出して実行する。このような場合、通信装置に読み出される、上述した図５から図１３に従う制御プログラムは、本実施の形態に係る通信装置に付属する記録媒体に予め記録させて、プログラム製品として提供することもできる。このような記録媒体としては、ＣＤ（Ｃｏｍｐａｃｔ  Ｄｉｓｃ）やメモリカードなどの通信装置で読取り可能な記録媒体がある。あるいは、本実施の形態に係る又は通信装置に内蔵するハードディスクなどの記録媒体に記録させて提供することもできる。さらに、インターネットを含む各種ネットワークを介するダウンロードによって提供することもできる。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  通信装置
１０  処理手段
１１  主処理部
１２  操作検出部
１４  送信先指定部
１５  宛先情報記憶処理部
１５２  更新登録部
１６  画像送信部
１７  確認画面表示処理部
１７１  宛先情報確認部
１７２  エラー確認部
１８  履歴記憶処理部
１９  通信処理部
２０  記憶手段
２２  宛先情報記憶部
２３  画面情報記憶部
２４  変数情報記憶部
３０  入力手段
３１  表示手段
３２  計時手段
４０  画像読取手段
５０  通信手段
８０  通信網
９０  外部装置
【図１】
2013225790.tif 000003
【図２】
2013225790.tif 000004
【図３】
2013225790.tif 000005
【図４】
2013225790.tif 000006
【図５】
2013225790.tif 000007
【図６】
2013225790.tif 000008
【図７】
2013225790.tif 000009
【図８】
2013225790.tif 000010
【図９】
2013225790.tif 000011
【図１０】
2013225790.tif 000012
【図１１】
2013225790.tif 000013
【図１２】
2013225790.tif 000014
【図１３】
2013225790.tif 000015
【図１４】
2013225790.tif 000016